(57)【要約】【課題】  画像形成装置毎に画面カスタマイズ情報を登録せずに表示画面をカスタマイズできるようにする。【解決手段】  画像形成装置Ａ、Ｂにおいて、表示パネル部１３は装置の動作に係る画像を表示する。操作部３は装置の操作を受付ける。パネル表示ログ登録指示部５は操作部３から入力された表示パネル部１３の表示に係るパネル表示ログを登録指示する。通信部７は、登録指示されたパネル表示ログをネットワーク１を介してサーバＣに送信し、送信したパネル表示ログに基づき形成されたカスタマイズ表示情報をサーバＣから受信する。カスタマイズ表示画像形成部９は受信されたカスタマイズ表示情報を取込み、表示パネル部１３で表示するカスタマイズ表示画像を形成する。画像表示制御部１１は取得されたカスタマイズ表示画像で表示パネル部１３を表示制御する。【選択図】  図１
2008224927.tif 000002
【特許請求の範囲】
【請求項１】
装置の動作に係る画像を表示する表示パネル部と、
前記装置の操作を受付ける操作部と、
この操作部から入力された表示パネル部の表示に係るパネル表示ログを登録指示するパネル表示ログ登録指示部と、
このパネル表示ログ登録指示部で登録指示された前記パネル表示ログをネットワークを介して送信するとともに、送信した前記パネル表示ログに基づき形成されたカスタマイズ表示情報を受信する通信部と、
この通信部で受信された前記カスタマイズ表示情報を取込み、前記表示パネル部で表示するカスタマイズ表示画像を形成するカスタマイズ表示画像形成部と、
このカスタマイズ表示画像形成部で形成された前記カスタマイズ表示画像によって前記表示パネル部を表示制御する画像表示制御部と、
を具備することを特徴とする画像形成装置。
【請求項２】
前記パネル表示ログ登録指示部およびカスタマイズ表示画像形成部は、前記通信部を制御して所定のタイミング毎に前記パネル表示ログの送信および前記カスタマイズ表示情報の取込みを行う請求項１記載の画像形成装置。
【請求項３】
前記パネル表示ログ登録指示部は、前記操作部で受付けた当該装置のユーザに関連付けて前記パネル表示ログを登録指示し、前記カスタマイズ表示画像形成部は、前記ユーザ毎の前記カスタマイズ表示情報から前記カスタマイズ表示画像を形成する請求項１又は２記載の画像形成装置。
【請求項４】
１個以上の画像形成装置およびこれを管理するサーバがネットワークを介して接続された画像形成システムであり、
前記画像形成装置は、
装置の動作に係る画像を表示する表示パネル部と、
前記装置の操作を受付ける操作部と、
この操作部から入力された表示パネル部の表示に係るパネル表示ログを登録指示するパネル表示ログ登録指示部と、
このパネル表示ログ登録指示部で登録指示された前記パネル表示ログを前記ネットワークを介して前記サーバに送信するとともに、送信した前記パネル表示ログに基づき形成されたカスタマイズ表示情報を前記ネットワークを介して前記サーバから受信する通信部と、
この通信部で受信された前記カスタマイズ表示情報を取込み、前記表示パネル部で表示するカスタマイズ表示画像を形成するカスタマイズ表示画像形成部と、
このカスタマイズ表示画像形成部で形成された前記カスタマイズ表示画像によって前記表示パネル部を表示制御する画像表示制御部と、
を具備する画像形成システム。
【請求項５】
前記サーバは、
前記ネットワークを介して前記パネル表示ログを前記画像形成装置から受信するとともに、前記カスタマイズ表示情報をネットワークを介して前記画像形成装置側に送信する通信部と、
この通信部で受信された前記パネル表示ログを登録するパネル表示ログ登録部と、
このパネル表示ログ登録部に登録された前記パネル表示ログから当該画像形成装置の前記カスタマイズ表示情報を形成するとともに、このカスタマイズ表示情報を前記通信部を介して当該画像形成装置側に送信制御するカスタマイズ表示情報編集部と、
前記カスタマイズ表示情報を登録するカスタマイズ表示情報登録部と、
を有する請求項４記載の画像形成システム。
【請求項６】
前記サーバは、前記カスタマイズ表示情報編集部において、所定の条件に基づき、前記パネル表示ログから当該画像形成装置の前記カスタマイズ表示情報を自動形成する請求項５記載の画像形成システム。
【請求項７】
前記画像形成装置は、前記操作部で受付けた当該装置のユーザに関連付けて前記パネル表示ログを登録指示して前記サーバ側に送信するとともに、前記ユーザ毎の前記カスタマイズ表示情報から前記カスタマイズ表示画像を形成し、前記サーバは、前記ユーザに関連付けた前記パネル表示ログから当該画像形成装置の前記ユーザ毎の前記カスタマイズ表示情報を形成する請求項４〜６いずれか１記載の画像形成システム。
【請求項８】
前記画像形成装置は、所定のタイミング毎に前記パネル表示ログの送信および前記カスタマイズ表示情報の取込みを行い、前記サーバは、所定のタイミング毎に、前記パネル表示ログを受信登録し、この受信登録された前記パネル表示ログに基づき前記カスタマイズ表示情報記録部に既登録された前記カスタマイズ表示情報を更新して送信する請求項４〜７いずれか１記載の画像形成システム。
【請求項９】
前記サーバは、前記ネットワークに接続された前記画像形成装置に対して同一の前記カスタマイズ表示情報の作成送信を行う請求項４〜８いずれか１記載の画像形成システム。
【請求項１０】
ネットワークを介して接続された１個以上の画像形成装置およびこれを管理するサーバを制御する制御用コンピュータに、
前記画像形成装置における操作を受付ける受付処理と、
この受付処理によって受付けられた表示パネル部での表示に係るパネル表示ログを登録指示するパネル表示ログ登録指示処理と、
このパネル表示ログ登録指示処理で登録指示された前記パネル表示ログを前記ネットワークを介して前記サーバに送信する送信処理と、
送信した前記パネル表示ログに基づき形成されたカスタマイズ表示情報を前記ネットワークを介して前記画像形成装置で受信する受信処理と、
受信した前記カスタマイズ表示情報を取込み、前記表示パネル部で表示するためのカスタマイズ表示画像を形成するカスタマイズ表示画像形成処理と、
前記カスタマイズ表示画像によって前記表示パネル部を表示制御する画像表示処理と、
を実行させることを特徴とする画像形成プログラム。
【請求項１１】
前記ネットワークを介して前記パネル表示ログを前記画像形成装置から受信する受信処理と、
この受信処理で受信した前記パネル表示ログを登録するパネル表示ログ登録処理と、
このパネル表示ログ登録処理で登録された前記パネル表示ログから当該画像形成装置のカスタマイズ表示情報を形成するカスタマイズ表示情報編集処理と、
このカスタマイズ表示情報編集処理で形成された前記カスタマイズ表示情報を当該画像形成装置側に送信する送信処理と、
を実行させる請求項１０記載の画像形成プログラム。
【発明の詳細な説明】
【技術分野】
【０００１】
本発明は画像形成装置、画像形成システムおよび画像形成プログラムに係り、表示パネル部の表示をカスタマイズ可能な例えば複写機や複合機（ＭＦＰ：Multi Function Peripheral）等に好適な画像形成装置、画像形成システムおよび画像形成プログラムの改良に関する。
【背景技術】
【０００２】
近年、複写機や複合機等では、予め標準的な表示画像データを搭載する他、ユーザが表示画像を変更してカスタマイズ可能にした構成が提供されている。
【０００３】
例えば、特開２００６−１３３５２０号公報（特許文献１）はこの種のものである。
【０００４】
この特許文献１は、カスタマイズ情報処理部にて各記憶部から読み出した画面設計情報とカスタマイズ情報を参照してメニュー画面に対応したカスタマイズ設定画面を生成表示し、ユーザにより入力設定されたサイズ、位置、ボタン内表示文字列等ボタン関する情報をカスタマイズ情報記憶部に登録し、メニュー画面を表示するとき、画面表示制御部がそれら記憶部から読み出した画面設計情報とカスタマイズ情報に基づいてカスタマイズしたメニュー画面を生成表示する構成を有し、画像形成装置が標準装備するメニュー画面以外に、カスタマイズしたメニュー画面の表示を可能にしたものである。
【特許文献１】特開２００６−２５６１８２号公報
【発明の開示】
【発明が解決しようとする課題】
【０００５】
しかしながら、上述した特許文献１では、画像形成装置の１台毎に画面カスタマイズ情報を登録する必要があり、画面カスタマイズ情報の変更が煩雑となる難点がある。
【０００６】
本発明はそのような課題を解決するためになされたもので、画像形成装置毎に画面カスタマイズ情報を登録する必要がなく、表示画像のカスタマイズが容易な画像形成装置、画像形成システムおよび画像形成プログラムの提供を目的とする。
【課題を解決するための手段】
【０００７】
そのような課題を解決するために本発明に係る画像形成装置は、装置の動作に係る画像を表示する表示パネル部と、その装置の操作を受付ける操作部と、この操作部から入力された表示パネル部の表示に係るパネル表示ログを登録指示するパネル表示ログ登録指示部と、この登録指示されたパネル表示ログをネットワークを介して送信するとともに、送信したパネル表示ログに基づき形成されたカスタマイズ表示情報を受信する通信部と、この受信されたカスタマイズ表示情報を取込み、その表示パネル部で表示するカスタマイズ表示画像を形成するカスタマイズ表示画像形成部と、そのカスタマイズ表示画像によって上記表示パネル部を表示制御する画像表示制御部とを具備している。
【０００８】
本発明の画像形成装置では、上記パネル表示ログ登録指示部およびカスタマイズ表示画像形成部が、その通信部を制御して所定のタイミング毎にパネル表示ログの送信およびカスタマイズ表示情報の取込みを行う構成も可能である。
【０００９】
本発明の画像形成装置では、上記パネル表示ログ登録指示部が、その操作部で受付けた当該装置のユーザに関連付けてパネル表示ログを登録指示し、上記カスタマイズ表示画像形成部が、そのユーザ毎のカスタマイズ表示情報からカスタマイズ表示画像を形成する構成も可能である。
【００１０】
本発明に係る画像形成システムは、１個以上の画像形成装置およびこれを管理するサーバがネットワークを介して接続された画像形成システムであり、その画像形成装置が、装置の動作に係る画像を表示する表示パネル部と、その装置の操作を受付ける操作部と、この入力された表示パネル部の表示に係るパネル表示ログを登録指示するパネル表示ログ登録指示部と、この登録指示されたパネル表示ログをネットワークを介してサーバに送信するとともに、送信したパネル表示ログに基づき形成されたカスタマイズ表示情報をネットワークを介してサーバから受信する通信部と、この受信されたカスタマイズ表示情報を取込み、その表示パネル部で表示するカスタマイズ表示画像を形成するカスタマイズ表示画像形成部と、形成されたカスタマイズ表示画像によって表示パネル部を表示制御する画像表示制御部とを具備して構成されている。
【００１１】
本発明の画像形成システムでは、上記サーバが、そのネットワークを介してパネル表示ログを画像形成装置から受信するとともにカスタマイズ表示情報をネットワークを介して画像形成装置側に送信する通信部と、この受信されたパネル表示ログを登録するパネル表示ログ登録部と、このパネル表示ログ登録部に登録されたパネル表示ログから当該画像形成装置のカスタマイズ表示情報を形成するとともに、このカスタマイズ表示情報をその通信部を介して当該画像形成装置側に送信制御するカスタマイズ表示情報編集部と、そのカスタマイズ表示情報を登録するカスタマイズ表示情報登録部とを有する構成も可能である。
【００１２】
本発明の画像形成システムでは、上記サーバが、そのカスタマイズ表示情報編集部において、所定の条件に基づきパネル表示ログから当該画像形成装置のカスタマイズ表示情報を自動形成する構成も可能である。
【００１３】
本発明の画像形成システムでは、上記画像形成装置が、その操作部で受付けた当該装置のユーザに関連付けてパネル表示ログをサーバ側に送信するとともにそのユーザ毎のカスタマイズ表示情報からカスタマイズ表示画像を形成し、上記サーバが、そのユーザに関連付けたパネル表示ログから当該画像形成装置のユーザ毎のカスタマイズ表示情報を形成する構成も可能である。
【００１４】
本発明の画像形成システムでは、上記画像形成装置が、所定のタイミング毎にパネル表示ログの送信およびカスタマイズ表示情報の取込みを行い、上記サーバが、所定のタイミング毎に、パネル表示ログを受信登録し、この受信登録されたパネル表示ログに基づきカスタマイズ表示情報記録部に既登録されたカスタマイズ表示情報を更新して送信する構成も可能である。
【００１５】
本発明の画像形成システムでは、上記サーバが、そのネットワークに接続された画像形成装置に対して同一の前記カスタマイズ表示情報の作成送信する構成も可能である。
【発明の効果】
【００１６】
このような本発明に係る画像形成装置および画像形成システムでは、表示パネル部で表示する表示画像について、画像形成装置毎に画面カスタマイズ情報を登録する必要がなく、表示画像のカスタマイズが容易である。
【００１７】
本発明において、上記サーバが、カスタマイズ表示情報編集部において、所定の条件に基づき、パネル表示ログから当該画像形成装置のカスタマイズ表示情報を自動形成する構成では、ユーザの操作履歴によってカスタマイズ表示情報を自動形成可能となり、ユーザの操作が極めて簡素化される。
【００１８】
本発明において、上記画像形成装置が、その操作部で受付けた当該装置のユーザに関連付けてパネル表示ログを登録指示してサーバ側に送信するとともに、そのユーザ毎のカスタマイズ表示情報からカスタマイズ表示画像を形成し、上記サーバが、そのユーザに関連付けたパネル表示ログから当該画像形成装置のユーザ毎のカスタマイズ表示情報を形成する構成では、ユーザ毎のカスタマイズ表示が容易となる。
【００１９】
本発明において、上記画像形成装置が、所定のタイミング毎にパネル表示ログの送信および前記カスタマイズ表示情報の取込みを行い、上記サーバが、所定のタイミング毎に、パネル表示ログを受信登録し、この受信登録されたパネル表示ログに基づきカスタマイズ表示情報記録部に既登録されたカスタマイズ表示情報を更新して送信する構成では、常に新しいパネル表示ログに基づいたカスタマイズ表示が可能である。
【００２０】
本発明において、上記サーバが、そのネットワークに接続された画像形成装置に対して同一の前記カスタマイズ表示情報の作成送信を行う構成では、複数の画像形成装置の表示パネル部において、同一のカスタマイズ表示が可能となる。
【発明を実施するための最良の形態】
【００２１】
以下、本発明の実施の形態を図面を参照して説明する。
【００２２】
図１は本発明に係る画像形成システムの実施の形態を画像形成装置とともに示す概略ブロック図である。なお、本発明に係る画像形成プログラムは、便宜上、画像形成システムを説明する過程で説明する。
【００２３】
図１において、本発明に係る画像形成システムは、複数の画像形成装置Ａ、ＢおよびサーバＣがネットワーク１を介して接続されている。ネットワーク１は社内ＬＡＮやインターネット等の公知のものである。
【００２４】
また、画像形成装置Ａ、Ｂはほぼ同様の構成を有するので、画像形成装置Ａのみ説明して画像形成装置Ｂの詳細は省略する。
【００２５】
まず、画像形成装置Ａを説明する。
【００２６】
画像形成装置Ａは、操作部３、パネル表示ログ登録指示部５、通信部７、カスタマイズ表示画像形成部９、画像表示制御部１１および表示パネル部１３を有する他、画像形成装置としての画像読取部１５、印刷部１７および主制御部１９等を有する例えば複合機（ＭＦＰ）である。
【００２７】
操作部３は、例えば図２に示すように、印刷（コピー）処理、プリント処理、スキャナ処理、ファクシミリ送受信処理等の種々の操作指示や選択をする選択キー３ａの他、それらの操作に係る設定項目の設定変更やユーザを特定するユーザＩＤ（例えば社員番号）を入力する公知の例えばテンキー３ｂ、スタートキー３ｃ等を有するタッチ式キーボードであり、パネル表示ログ登録指示部５に接続されている。後述するように、操作部３から入力された事項が表示パネル部１３に表示される。
【００２８】
パネル表示ログ登録指示部５は、操作部３から入力された入力項目から、表示パネル部１３の表示に係るパネル表示ログを登録指示するものであり、通信部７に接続されている。
【００２９】
本発明において、「ログ」とは、単なる操作状況や通信の記録にとどまらず、操作の意味内容を含むものであり、パネル表示ログとしては、例えば、印刷設定指示や後処理設定指示、印刷用紙サイズ指示、ファクシミリ送信先番号等、種々のものがある。
【００３０】
パネル表示ログ登録指示部５は、予め設定されたユーザＩＤと一致するユーザＩＤが操作部３から入力された場合に、パネル表示ログを登録指示するよう形成され、ユーザＩＤと関連付けてパネル表示ログを登録指示するよう形成されている。
【００３１】
通信部７は、所定のプロトコルに従い、ネットワーク１を介してサーバＣに対してパネル表示ログや後述するプロファイル情報を送信するとともに、サーバＣから後述するカスタマイズ表示情報を受信するインターフェース部であり、ネットワーク１の他にカスタマイズ表示画像形成部９にも接続されている。
【００３２】
なお、ファクシミリ送受信もこの通信部７を介してなされるが、本発明の要部ではないので説明を省略する。
【００３３】
カスタマイズ表示画像形成部９は、サーバＣからネットワーク１を介して通信部７で受信した情報から、従来公知の手法によってカスタマイズ表示情報を抽出するものであり、画像表示制御部１１に接続されている。
【００３４】
カスタマイズ表示画像形成部１１は、抽出されたカスタマイズ表示情報に基づき、当該装置の表示パネル部１３で表示する表示態様に合わせたカスタマイズ表示画像を形成するものであり、画像表示制御部１１に接続されている。
【００３５】
画像表示制御部１１は、カスタマイズ表示画像に基づき表示パネル部１３に駆動電源を印加してカスタマイズ表示画像を表示制御するものである。
【００３６】
表示パネル部１３は、例えば図２に示すように、操作部３の一部に重ねるようにして形成された公知の液晶パネルであり、装置の動作に係る画像が表示された箇所をタッチすることにより、操作が受付けられるようになっている。
【００３７】
画像読取部１５は、例えば印刷された複数頁の原稿から画像を光学的に読み込み、フィルタ処理等をして電子的画像データを印刷ジョブとして生成する公知のスキャナ等であり、印刷部１７は、画像データから印刷画像イメージデータに展開してトナー現像処理し、印刷用紙にトナー現像を転写してトナー定着させる公知のカラー又はモノクロ印刷エンジンである。
【００３８】
主制御部１９は、ＣＰＵやこのＣＰＵの動作プログラムを格納したＲＯＭを有して形成されており、上述した操作部３、パネル表示ログ登録指示部５、通信部７、カスタマイズ表示画像形成部９、画像表示制御部１１、表示パネル部１３、画像読取部１５および印刷部１７等を制御するとともに、パネル表示ログ登録指示部５、カスタマイズ表示画像形成部９および画像表示制御部１１の一部の機能を実現している。
【００３９】
主制御部１９は、画像形成装置Ａに係るプロファイル情報、例えば当該装置の名称、動作プログラムのバージョン、トナー等の消耗品名称や印刷状態、当該装置の設置場所等を、通信部７を介してネットワーク１からサーバＣに対して送信制御する機能も有している。
【００４０】
なお、画像形成装置Ｂも、画像形成装置Ａとほぼ同様の構成を有しているが、上述したように説明および図示を省略する。
【００４１】
続いて、サーバＣを説明する。
【００４２】
サーバＣは、図１に示すように、通信部２１、パネル表示ログ登録部２３、カスタマイズ表示情報編集部２５、カスタマイズ表示情報登録部２７およびこれらを制御する主制御部２９を有し、サーバとしての一般的な構成を有している。
【００４３】
通信部２１は、主制御部２９の制御の下、ネットワーク１を介してパネル表示ログを画像形成装置Ａ、Ｂから受信してパネル表示ログ登録部２３に出力するとともに、カスタマイズ表示情報編集部２５からのカスタマイズ表示情報をネットワーク１を介して画像形成装置Ａ、Ｂ側に出力するインターフェース部である。
【００４４】
パネル表示ログ登録部２３は、主制御部２９の制御の下、画像形成装置Ａ、Ｂから受信したプロファイル情報やパネル表示ログを記憶し、例えばユーザ毎にテーブル状にして登録するものであり、カスタマイズ表示情報編集部２５に接続されている。
【００４５】
すなわち、パネル表示ログ登録部２３は、例えばユーザ毎に使用される画像形成装置Ａ、Ｂの機能とか指定を、プロファイル情報やパネル表示ログに基づき学習更新しながらユーザ単位のテーブル状データにして保持している。
【００４６】
カスタマイズ表示情報編集部２５は、パネル表示ログ登録部２３に記憶されたパネル表示ログに係るテーブル状データから、例えば、通信部２１で受信した画像形成装置Ａの使用ユーザＩＤに基づき、当該ユーザに係るカスタマイズ表示情報を自動形成するとともに、カスタマイズ表示情報登録部２７に記憶する機能を有している。
【００４７】
カスタマイズ表示情報編集部２５が形成するカスタマイズ表示情報は、所定のカスタマイズ編集プログラムを実行し、パネル表示ログ登録部２３に記憶されたパネル表示ログに係るテーブル状データを参照し、例えば、あるユーザが専らコピーを実行する頻度が多い場合、当該ユーザＩＤが取得されると、図３Ａに示すように、コピー用の操作画面に関するカスタマイズ表示情報を作成し、別のユーザが後処理を実行する頻度が多い場合、同図Ｂに示すように、後処理用の選択画面に関するカスタマイズ表示情報を作成する訳である。
【００４８】
カスタマイズ表示情報編集部２５は、所定のタイミング毎に、カスタマイズ表示情報登録部２７からカスタマイズ表示情報を読出して通信部１９に出力する機能を有している。
【００４９】
主制御部２９は、ＣＰＵやこのＣＰＵの動作プログラムを格納したＲＯＭを有して形成されており、上述した通信部２１、パネル表示ログ登録部２３、カスタマイズ表示情報編集部２５およびカスタマイズ表示情報登録部２７等を制御する機能を有している。
【００５０】
次に、上述した本発明に係る画像形成システムの動作を簡単に説明する。
【００５１】
なお、予め、サーバＣのパネル表示ログ登録部２３には、画像形成装置Ａ、Ｂから受信したプロファイル情報やパネル表示ログが登録されている。
【００５２】
画像形成装置Ａの操作部３で操作の受付処理がなされると、パネル表示ログ登録指示部５が受付処理で受付けられた表示パネル部の表示に係るパネル表示ログを登録指示処理し、通信部７がパネル表示ログをネットワーク１を介してサーバＣに送信する送信処理する。
【００５３】
パネル表示ログの送信処理は、操作部３で操作の受付処理がなされる都度、又は所定の短いタイミング毎になされる。
【００５４】
サーバＣ側では、主制御部２９の制御の下、通信部１９がネットワーク１を介してパネル表示ログを画像形成装置Ａから受信してパネル表示ログ登録部２３に登録記憶するとともに、そのパネル表示ログがパネル表示ログ登録部２３内のテーブル状データに登録、更新される。
【００５５】
そして、画像形成装置Ａの操作部３からあるユーザが、図２の操作部３において、選択キー３ａの「コピー」をタッチ操作すると、パネル表示ログ登録指示部５がそれを受付け、通信部７がそのパネル表示ログをネットワーク１を介してサーバＣに送信処理する。
【００５６】
サーバＣ側では、受信されたパネル表示ログに基づき、パネル表示ログ登録部２３内のテーブル状データを更新するとともに、カスタマイズ表示情報編集部２５が、図３Ａに示すように、そのパネル表示ログから当該画像形成装置Ａの印刷画像用のカスタマイズ表示情報を自動的に形成実行し、カスタマイズ表示情報をカスタマイズ表示情報登録部２７に記憶処理する一方、通信部１９を介して画像形成装置Ａ側に送信処理する。
【００５７】
画像形成装置Ａ側では、カスタマイズ表示情報を通信部７で受信処理し、カスタマイズ表示画像形成部９で取得処理し、画像表示制御部１１にてカスタマイズ表示情報から表示パネル部１３で表示するカスタマイズ表示画像を形成処理し、画像表示制御部１１にて表示パネル部１３を表示制御し、表示パネル部１に図３Ａのようなカスタマイズ画像が表示される。
【００５８】
ユーザは、印刷画像用のカスタマイズ表示から、例えば用紙のサイズ等の選択指示が可能となり、これがサーバＣで管理される。
【００５９】
そして、これらの処理手順が本発明に係る画像形成プログラムとなる訳である。
【００６０】
このように本発明の画図形成システムでは、複数の画像形成装置Ａ、Ｂおよびこれを管理するサーバＣがネットワーク１を介して接続されており、それら画像形成装置Ａ、Ｂは、装置の動作に係る画像を表示する表示パネル部１３と、その装置の操作を受付ける操作部３と、この操作部３から入力された表示パネル部１３の表示に係るパネル表示ログを登録指示するパネル表示ログ登録指示部５と、この登録指示されたパネル表示ログをネットワーク１を介してサーバＣに送信するとともに、送信したパネル表示ログに基づき形成されたカスタマイズ表示情報をサーバＣから受信する通信部７と、この受信されたカスタマイズ表示情報を取込み、その表示パネル部１３で表示するカスタマイズ表示画像を形成するカスタマイズ表示画像形成部９と、取得されたカスタマイズ表示画像によって表示パネル部１３を表示制御する画像表示制御部１１とを具備し、上記サーバＣは、そのネットワーク１を介してパネル表示ログを画像形成装置Ａ、Ｂから受信するとともにカスタマイズ表示情報をネットワーク１を介してそれらに送信する通信部２１と、受信したパネル表示ログを登録するパネル表示ログ登録部２３と、この登録されたパネル表示ログから当該画像形成装置Ａ、Ｂのカスタマイズ表示情報を形成するとともにカスタマイズ表示情報を通信部２１を介して当該画像形成装置Ａ、Ｂ側に送信制御するカスタマイズ表示情報編集部２５と、そのカスタマイズ表示情報を登録するカスタマイズ表示情報登録部２７とを具備して構成されている。
【００６１】
そのため、画像形成装置Ａ、Ｂの表示画面をカスタマイズするために画像形成装置Ａ、Ｂ毎に画面カスタマイズ情報を登録する必要がなくなり、表示画像のカスタマイズが容易になる利点がある。
【００６２】
しかも、サーバＣが、画像形成装置Ａ、Ｂの操作履歴を集中して集計管理し、ユーザが良く使う機能や設定に基づき、カスタマイズ表示情報編集部２５において、パネル表示ログから当該画像形成装置Ａ、Ｂのカスタマイズ表示情報を自動形成するから、ユーザの操作が極めて簡素化される。
【００６３】
また、画像形成装置Ａ、Ｂがユーザに関連付けてパネル表示ログを登録指示し、サーバ側からそのユーザ毎のカスタマイズ表示情報を受けてカスタマイズ表示画像を形成するから、ユーザが自己のユーザＩＤ等を操作入力するだけで、ユーザ単位のカスタマイズ表示が可能になる。
【００６４】
さらに、画像形成装置Ａ、Ｂが所定のタイミング毎にパネル表示ログの送信およびカスタマイズ表示情報の取込みを行い、上記サーバＣが所定のタイミング毎にカスタマイズ表示情報を更新送信するから、各画像形成装置Ａ、Ｂでは常に新しい使用履歴に基づいたカスタマイズ表示が可能である。
【００６５】
上述した本発明の画像形成システムでは、上記サーバＣが、そのネットワーク１に接続された画像形成装置Ａ、Ｂに対して同一のカスタマイズ表示情報を作成して一律に送信制御する構成も可能であり、全部署等に対する情報の一斉配布等が容易となる。
【００６６】
なお、上述したサーバＣは、ネットワーク1上で独立した装置である必要はなく、例えば、ネットワーク1に接続された複合機、プリンタ等に内蔵された同種の機能部分で構成可能である。
【００６７】
そして、上述した画像形成装置Ａ、Ｂは、操作部３、パネル表示ログ登録指示部５、通信部７、カスタマイズ表示画像形成部９、画像表示制御部１１および表示パネル部１３を有するから、画像形成装置Ａ、Ｂ自体で表示画面をカスタマイズする必要がなく、独立して本発明を構成し、表示画像のカスタマイズが容易となる効果を有する。
【００６８】
ところで、本発明の画像形成プログラムに言及すれば、ネットワークを介して接続された１個以上の画像形成装置Ａ、Ｂおよびこれを管理するサーバＣを制御する制御用コンピュータに、その画像形成装置Ａ、Ｂにおける操作を受付ける受付処理と、受付けられた表示パネル部１３での表示に係るパネル表示ログを登録指示するパネル表示ログ登録指示処理と、この登録指示されたパネル表示ログをネットワークを介してサーバに送信する送信処理と、送信したそのパネル表示ログに基づき形成されたカスタマイズ表示情報を画像形成装置Ａ、Ｂで受信する受信処理と、受信したカスタマイズ表示情報を取込み、表示パネル部１３で表示するためのカスタマイズ表示画像を形成するカスタマイズ表示画像形成処理と、カスタマイズ表示画像によって表示パネル部１３を表示制御する画像表示処理とを実行させることを特徴としている。
【００６９】
しかも、この画像形成プログラムにおいて、そのネットワークを介してパネル表示ログを画像形成装置から受信する受信処理と、この受信したパネル表示ログを登録するパネル表示ログ登録処理と、この登録されたパネル表示ログから当該画像形成装置Ａ、Ｂのカスタマイズ表示情報を形成するカスタマイズ表示情報編集処理と、このカスタマイズ表示情報を当該画像形成装置Ａ、Ｂ側に送信する送信処理とを実行させる構成が可能である。
【００７０】
また、この画像形成プログラムにおいても、カスタマイズ表示情報編集処理が、所定の条件に基づき、パネル表示ログから当該画像形成装置Ａ、Ｂのカスタマイズ表示情報を自動形成する処理を実行する構成、パネル表示ログ登録指示処理が操作処理で受付けた当該装置のユーザに関連付けてパネル表示ログを登録指示してサーバ側への送信処理を実行するとともに、カスタマイズ表示画像形成処理が、ユーザ毎のカスタマイズ表示情報からカスタマイズ表示画像を形成処理し、カスタマイズ表示情報編集処理が、ユーザに関連付けたパネル表示ログからユーザ毎のカスタマイズ表示情報を形成する処理を実行する構成においても、上述した画像形成システムと同様の効果を得ることが可能である。
【００７１】
さらに、パネル表示ログ登録指示処理およびカスタマイズ表示画像形成処理が、所定のタイミングでパネル表示ログの登録指示およびカスタマイズ表示情報の取込み処理を実行し、パネル表示ログ登録処理およびカスタマイズ表示情報編集処理が、所定のタイミングでパネル表示ログの登録処理およびカスタマイズ表示情報の形成送信処理を実行する構成、カスタマイズ表示情報編集処理が、ネットワークに接続された画像形成装置に対して同一のカスタマイズ表示情報の作成送信を実行する構成においても、画像形成システムと同様の効果を得ることが可能である。
【図面の簡単な説明】
【００７２】
【図１】本発明に係る画像形成装置を含む画像形成システムの実施の形態を示す概略ブロック図である。
【図２】本発明における操作部および表示パネル部の例を示す図である。
【図３】本発明における表示パネル部の動作例を説明する図である。
【符号の説明】
【００７３】
１  ネットワーク
３  操作部
５  パネル表示ログ登録指示部
７、２１  通信部
９  カスタマイズ表示画像形成部
１１  画像表示制御部
１３  表示パネル部
１５  画像読取部
１７  印刷部
１９、２９  主制御部
３ａ  選択キー
３ｂ  テンキー
３ｃ  スタートキー
２３  パネル表示ログ登録部
２５  カスタマイズ表示情報編集部
２７  カスタマイズ表示情報登録部
Ａ、Ｂ  画像形成装置
Ｃ  サーバ
【図１】
2008224927.tif 000003
【図２】
2008224927.tif 000004
【図３】
2008224927.tif 000005